(57)【要約】【課題】巻き上げ及び巻き下げにより発電して照明灯を点灯させることが可能なクレーンのフックブロック及びそのフックブロックで発電する発電方法を提供する。【解決手段】クレーン１のフックブロック２は、シーブ７と、枠体８と、シーブ７に取り付けられたマグネット９と、マグネット９に近接するように枠体８に取り付けられたコイル１０と、コイル１０に誘起した交流電流を直流電流に変換するための整流器３と、整流器３により変換された直流電流にて充電される蓄電池４と、蓄電池４に接続された照明灯５と、を備える。フックブロック２を巻き上げ及び巻き下げる際のシーブ７の回転に伴うマグネット９の移動により、コイル１０で誘起された交流電流は、整流器３で直流電流に変換されて蓄電池４に供給され、蓄電池４を充電する。蓄電池４に充電された電力によって適時に照明灯５を点灯させることができる。【選択図】  図１
2011102168.tif 000002
【特許請求の範囲】
【請求項１】
ロープが巻回され、前記ロープの巻き取り及び繰り出しにより回転するシーブと、前記シーブを回転可能に支持する枠体と、前記枠体に吊り下げられたフック部と、を備えたクレーンのフックブロックであって、
前記シーブに取り付けられたマグネットと、
前記枠体の前記マグネットと所定の間隔で対向する位置に取り付けられたコイルと、
前記コイルに誘起した交流電流を直流電流に変換するための整流器と、
照明灯と、を備え、
前記フックブロックを巻き上げ及び巻き下げる際の前記シーブの回転に伴う前記マグネットの移動によって前記間隔が変化することにより、前記コイルに電流を誘起させるとともに、この電流によって前記照明灯を点灯させることを特徴とするクレーンのフックブロック。
【請求項２】
前記コイルに誘起した電流にて充電される蓄電池を更に備えることを特徴とする請求項１に記載のクレーンのフックブロック。
【請求項３】
請求項１又は２に記載のフックブロックを備えることを特徴とするクレーン。
【請求項４】
ロープが巻回され、前記ロープの巻き取り及び繰り出しにより回転するシーブと、前記シーブを回転可能に支持する枠体と、前記枠体に吊り下げられたフック部と、前記シーブに取り付けられたマグネットと、前記枠体の前記マグネットと所定の間隔で対向する位置に取り付けられたコイルと、前記コイルに誘起した交流電流を直流電流に変換するための整流器と、照明灯と、を備えたクレーンのフックブロックで発電する発電方法において、
前記フックブロックを巻き上げ及び巻き下げる際の前記シーブの回転に伴う前記マグネットの移動によって前記間隔が変化することにより、前記コイルに電流を誘起させるとともに、この電流によって前記照明を点灯させることを特徴とする発電方法。
【発明の詳細な説明】
【技術分野】
【０００１】
本発明は、巻き上げ及び巻き下げにより発電可能なクレーンのフックブロック及びそのフックブロックを備えたクレーン並びにフックブロックで発電する発電方法に関する。
【背景技術】
【０００２】
クレーンのオペレーターは、玉掛け時や揚重時において、吊り荷の状態及びフックブロックの位置を、肉眼による視認やブームの先端に取り付けられたカメラにて取得された映像により確認している。特に、夜間は、吊り荷やフックブロックに対して照明灯を照射させて、肉眼やカメラの映像でこれらを確認している。
夜間に吊り荷やフックブロックを照明灯で照射する方法の一つとして、例えば、構築予定構造物内に照明灯を高さ方向に複数台設置し、構築予定構造物の外方に向かって点灯させて、構築予定構造物の側方を昇降する吊り荷及びフックブロックを照射させることにより、肉眼やカメラの映像で確認する方法がある。
また、特許文献１には、クレーンのブームの先端に照明灯を垂下するように取り付けて、吊り荷及びフックブロックを照射する照明装置が開示されている。
【先行技術文献】
【特許文献】
【０００３】
【特許文献１】特開２００２−００３１５１号公報
【発明の概要】
【発明が解決しようとする課題】
【０００４】
しかしながら、上述した確認方法には、それぞれ次のような問題点があった。
超高層構築予定構造物用のクレーンにおいては、オペレーターの位置やブームの先端からフックブロックまでの距離が長いため、昼間でも肉眼やカメラの映像では吊り荷及びフックブロックを確認することができない。
また、超高層構築予定構造物に照明灯を高さ方向に複数台設置し、点灯させる方法では、設備投資費及び光熱費が莫大となり、不経済である。さらに、超高層構築予定構造物内から複数の照明灯で外方を照射すると、周辺環境へ悪影響を及ぼす可能性がある。
また、超高層構築予定構造物用のクレーンのブームの先端に照明灯を垂下するように設置して下方を照射しても、地上付近まで照明灯の光りが届かないので、吊り荷及びフックブロックを確認することができない。
【０００５】
そこで、本発明は上記の点に鑑みてなされたものであり、巻き上げ及び巻き下げにより発電して照明灯を点灯させることが可能なクレーンのフックブロック及びそのフックブロックで発電する発電方法を提供することを目的とする。
【課題を解決するための手段】
【０００６】
本発明は、ロープが巻回され、前記ロープの巻き取り及び繰り出しにより回転するシーブと、前記シーブを回転可能に支持する枠体と、前記枠体に吊り下げられたフック部と、を備えたクレーンのフックブロックであって、
前記シーブに取り付けられたマグネットと、
前記枠体の前記マグネットと所定の間隔で対向する位置に取り付けられたコイルと、
前記コイルに誘起した交流電流を直流電流に変換するための整流器と、
照明灯と、を備え、
前記フックブロックを巻き上げ及び巻き下げる際の前記シーブの回転に伴う前記マグネットの移動によって前記間隔が変化することにより、前記コイルに電流を誘起させるとともに、この電流によって前記照明灯を点灯させることを特徴とする。
【０００７】
本発明によれば、フックブロックの巻き上げ及び巻き下げによりコイルに誘起した電流にて照明灯を点灯させることができる。そして、照明灯で吊り荷及びフックブロックを照射することにより、超高層構築予定構造物用のクレーンでもフックブロックを昇降させる際に、昼夜共に、吊り荷及びフックブロックの位置を確認することができる。したがって、安全に昇降作業を行うことができる。
【０００８】
また、本発明において、前記コイルに誘起した電流にて充填される蓄電池を更に備えることとしてもよい。
【０００９】
本発明によれば、フックブロックを巻き上げ及び巻き下げる時だけでなく、適時に照明灯を点灯させることができる。
【００１０】
また、本発明のクレーンは、上述したフックブロックを備えることを特徴とする。
【００１１】
また、本発明は、ロープが巻回され、前記ロープの巻き取り及び繰り出しにより回転するシーブと、前記シーブを回転可能に支持する枠体と、前記枠体に吊り下げられたフック部と、前記シーブに取り付けられたマグネットと、前記枠体の前記マグネットと所定の間隔で対向する位置に取り付けられたコイルと、前記コイルに誘起した交流電流を直流電流に変換するための整流器と、照明灯と、を備えたクレーンのフックブロックを用いる発電方法において、
前記フックブロックを巻き上げ及び巻き下げる際の前記シーブの回転に伴う前記マグネットの移動によって前記間隔が変化することにより、前記コイルに電流を誘起させるとともに、この電流によって前記照明を点灯させることを特徴とする。
【００１２】
本発明によれば、フックブロックの巻き上げ及び巻き下げによりコイルに誘起した電流にて照明灯を点灯させることができる。そして、照明灯で吊り荷及びフックブロックを照射することにより、超高層構築予定構造物用のクレーンでもフックブロックを昇降させる際に、昼夜共に、吊り荷及びフックブロックの位置を確認することができる。したがって、安全に昇降作業を行うことができる。
【発明の効果】
【００１３】
本発明によれば、巻き上げ及び巻き下げにより発電して照明灯を点灯させることが可能なクレーンのフックブロック及びそのフックブロックで発電する発電方法を提供できる。
【図面の簡単な説明】
【００１４】
【図１】本発明の実施形態に係るクレーンのフックブロックを示す図である。
【図２】図１のＡ部の拡大側面図である。
【図３】整流器、蓄電池、照明灯及びコイルの接続状態を示す回路図である。
【発明を実施するための形態】
【００１５】
以下、本発明の好ましい実施形態について図面を用いて詳細に説明する。
【００１６】
図１は、本発明の実施形態に係るクレーン１のフックブロック２を示す図である。また、図２は、図１のＡ部の拡大側面図であり、図３は、整流器３、蓄電池４、照明灯５及びコイル１０の接続状態を示す回路図である。
図１及び図２に示すように、クレーン１のフックブロック２は、ロープ６が巻回され、当該ロープ６の巻き取り及び繰り出しにより回転するシーブ７と、シーブ７を回転可能に支持する枠体８と、シーブ７に取り付けられたマグネット９と、マグネット９に近接するように枠体８に取り付けられたコイル１０と、コイル１０に誘起した交流電流を直流電流に変換するための整流器３と、整流器３により変換された直流電流にて充電される蓄電池４と、蓄電池４に接続された照明灯５と、枠体８に吊り下げられたフック部１１と、を備える。
【００１７】
マグネット９は、シーブ７の側面に等角度おきに複数取り付けられており、コイル側端部９ａの極性がすべてＮ極（又はＳ極）となるように配置されている。
【００１８】
コイル１０は、枠体８のマグネット９と所定の間隔で対向する位置にそれぞれ取り付けられており、シーブ７の回転に伴うマグネット９の移動によって上記間隔が変化することにより、電流が誘起する。
各コイル１０は、コイル１０と同数設けられた整流器３にそれぞれ接続されている。
【００１９】
図３に示すように、整流器３は、４個のダイオード３ａをブリッジ接続してなる一般的な構成である。この整流器３は、複数のコイル１０に誘起される交流電流の位相の不一致によって打ち消しが生じるのを防止するとともに、蓄電池４に充電するために必要となる直流電流を得るものであり、各整流器３はすべて蓄電池４に接続されている。
【００２０】
フックブロック２を巻き上げ及び巻き下げる際のシーブ７の回転に伴うマグネット９の移動により、コイル１０で誘起された交流電流は、整流器３で直流電流に変換されて蓄電池４に供給され、蓄電池４を充電する。
【００２１】
蓄電池４は、スイッチ１２を介して照明灯５に接続されている。照明灯５は、吊り荷及びフック部１１をそれぞれ照射できるように、枠体８の下部に２台取り付けられている。
【００２２】
スイッチ１２を作動させることにより、蓄電池４に充電された電力によって適時に照明灯５を点灯させることができる。
【００２３】
フックブロック２の巻き上げ及び巻き下げによって生ずる電力量は、コイル１０の巻き線量及びマグネット９の種類を選択することによって調節可能であり、例えば、コイル１０の巻き線量を増加したり、コバルト、ストロンチューム、ネオジウム等を含む希土類系マグネット９を用いたりすれば、電力量を増加させることができる。これによって、照明灯５の数を増加させたり、その他の電気機器、例えば、警報用サイレンを取り付けて作動させたりすることができる。
【００２４】
以上説明した本実施形態におけるクレーン１のフックブロック２によれば、フックブロック２の巻き上げ及び巻き下げによりコイル１０に誘起した電流にて蓄電池４を充電することができる。
また、蓄電池４を備えているので、適時に照明灯５を点灯させることができる。そして、照明灯５で吊り荷及びフック部１１を照射することにより、超高層構築予定構造物のクレーン１でもフックブロック２を昇降させる際に、昼夜共に、吊り荷及びフック部１１の位置を確認することができる。したがって、安全に昇降作業を行うことができる。
【００２５】
また、蓄電池４を備えているので、フックブロック２を巻き上げ及び巻き下げる時だけでなく、適時に照明灯５を点灯させることができる。
【００２６】
なお、本実施形態においては、整流器３を蓄電池４に接続し、この蓄電池４を照明灯５に接続した場合について説明したが、これに限定されるものではなく、整流器３を照明灯５に直接、接続して蓄電池４を用いなくてもよい。これにより、フックブロック２が昇降している時だけ照明灯５が点灯することとなる。係る場合においては、蓄電池４が不要なので、蓄電池４を取り付けるためのスペースを確保できない小型のフックブロック２にも本発明を適用することができる。
【００２７】
なお、本発明のフックブロック２は、天井クレーン、ジブクレーン、タワークレーン、橋形クレーン等の各種クレーンに適用可能であり、クレーンの形式は問わない。
【符号の説明】
【００２８】
１  クレーン
２  フックブロック
３  整流器
３ａ  ダイオード
４  蓄電池
５  照明灯
６  ロープ
７  シーブ
８  枠体
９  マグネット
９ａ  コイル側端部
１０  コイル
１１  フック部
１２  スイッチ
【図１】
2011102168.tif 000003
【図２】
2011102168.tif 000004
【図３】
2011102168.tif 000005